(57)【要約】【課題】ＥＭＣ対策の効果を容易に評価する。【解決手段】現在測定中のＡＰＤ測定結果と、その比較対象となるＡＰＤ結果とを、周波数、振幅、振幅確率及び時間のパラメータを組み合わせた複数のグラフの中から指定されるグラフ表示で表示部４００の同一画面上に一緒に表示する。【選択図】図１
2012112901.tif 000002
【特許請求の範囲】
【請求項１】
被測定信号の周波数成分を分析し、分析された各周波数成分の振幅をそれぞれ検出し、検出された各周波数成分の振幅について単位時間当たりの振幅確率を時間経過毎に求めるＡＰＤ測定部（１００）と、該ＡＰＤ測定部が出力する各周波数成分の振幅の振幅確率を時間経過に対応して記憶する記憶部（２００）と、表示部（４００）と、操作部（５００）と、前記記憶部に所定タイミングでアクセスして得られた最新の前記記憶部の記憶内容に基づいて、周波数、振幅、振幅確率及び時間のうち、２つ又は３つを次元とする座標に残りの１つをパラメータとするグラフを前記表示部に表示させる表示制御部（３００）とを備えたＡＰＤ測定表示装置であって、
前記表示制御部は、前記ＡＰＤ測定部による現在測定中のＡＰＤ測定結果と、その比較対象となるＡＰＤ結果とを、前記周波数、前記振幅、前記振幅確率及び前記時間のパラメータを組み合わせた複数のグラフの中から前記操作部で指定されるグラフ表示で前記表示部の同一画面上に表示することを特徴とするＡＰＤ測定表示装置。
【請求項２】
前記表示制御部（３００）は、前記現在測定中のＡＰＤ測定結果と、その比較対象となる前記ＡＰＤ結果とを、前記指定されるグラフ表示で前記表示部（４００）の同一画面上の異なる表示領域に並べて識別表示することを特徴とする請求項１記載のＡＰＤ測定表示装置。
【請求項３】
前記表示制御部（３００）は、前記現在測定中のＡＰＤ測定結果と、その比較対象となる前記ＡＰＤ結果とを、前記表示部（４００）の同一表示画面上の前記指定されるグラフ表示上に重ねて識別表示することを特徴とする請求項１記載のＡＰＤ測定表示装置。
【請求項４】
被測定信号の周波数成分を分析し、分析された各周波数成分の振幅をそれぞれ検出し、検出された各周波数成分の振幅について単位時間当たりの振幅確率を時間経過毎に求め、前記各周波数成分の振幅の振幅確率を時間経過に対応して記憶し、最新の記憶内容に基づいて、周波数、振幅、振幅確率及び時間のうち、２つ又は３つを次元とする座標に残りの１つをパラメータとするグラフを表示させるＡＰＤ測定表示方法であって、
現在測定中のＡＰＤ測定結果と、その比較対象となるＡＰＤ結果とを、前記周波数、前記振幅、前記振幅確率及び前記時間のパラメータを組み合わせた複数のグラフの中から指定されるグラフ表示で表示部（４００）の同一画面上に表示するステップを含むことを特徴とするＡＰＤ測定表示方法。
【請求項５】
前記現在測定中のＡＰＤ測定結果と、その比較対象となる前記ＡＰＤ結果とを、前記指定されるグラフ表示で前記表示部（４００）の同一画面上の異なる表示領域に並べて識別表示することを特徴とする請求項４記載のＡＰＤ測定表示方法。
【請求項６】
前記現在測定中のＡＰＤ測定結果と、その比較対象となる前記ＡＰＤ結果とを、前記表示部の同一画面上の前記指定されるグラフ表示上に重ねて識別表示することを特徴とする請求項４記載のＡＰＤ測定表示方法。
【発明の詳細な説明】
【技術分野】
【０００１】
本発明は、信号の周波数成分を分析し、各周波数成分の大きさが所定時間中に所定の閾値を超える確率（振幅確率分布、或いは、単に時間率と言われる。以下「ＡＰＤ」と言う。）を測定し、その結果を表示するＡＰＤ測定表示装置及びＡＰＤ測定表示方法に関する。
【背景技術】
【０００２】
ＡＰＤ測定技術は従来からあり、例えば、ＡＰＤを高い振幅分解能と時間分解能で測定する特許文献１の技術があり、それをスペクトラムアナライザ等へ適用し、種々の表示を試みた例として特許文献２の技術がある。
【０００３】
一方、最近、通信方式により、所定複数周波数成分のＡＰＤを並列に同時に測定する必要性が要求されている。例えば、非特許文献１に記載のように、地上デジタル放送の規格は電波産業会（ＡＲＩＢ）によってＡＲＩＢ標準規格として、ＯＦＤＭ方式（Ｏｒｔｈｏｇｏｎａｌ  Ｆｒｅｑｕｅｎｃｙ  Ｄｉｖｉｓｉｏｎ  Ｍｕｌｔｉｐｌｅｘ  Ｏｐｅｒａｔｉｏｎ  Ｍｏｄｅ）による変調方式が定められている。そして、このＯＦＤＭ方式では、伝送データを所定の帯域に数千本の低速データに分けて、デジタル変調を行う。例えば、その所定の帯域が約５．６ＭＨｚであり、伝送データを約１ｋＨｚの搬送波（キャリア）単位で分けて、計５、６００本に分けてデジタル変調している。
【０００４】
したがって、ＯＦＤＭ方式におけるＡＰＤ測定は、信号成分を約１ｋＨｚ毎に周波数分析して、各周波数成分のＡＰＤを並列に測定することが望まれる。また、特許文献１，２に記載のＡＰＤで並列に測定可能である。
【０００５】
ＡＰＤの表示については、特許文献２では確率分布を確率の範囲毎に帯表示させることにより、分布を視認しやすいように識別して表示させている。
【先行技術文献】
【特許文献】
【０００６】
【特許文献１】特許第３１５６１５２号公報
【特許文献２】特許第３３７４１５４号公報
【非特許文献】
【０００７】
【非特許文献１】東芝レビューＶＯＬ．５８  Ｎｏ．１２（２００３年）、ｐ．２〜６
【発明の概要】
【発明が解決しようとする課題】
【０００８】
ところで、上述したＯＦＤＭ方式のような稠密な周波数帯にわたる膨大なチャネル数を有する通信環境下の測定においては、多数の通信チャネル内の振幅変化を時々刻々同時に測定し、広いレベル範囲で現象をつぶさに把握する多チャネル同時ＡＰＤ測定が有効な手段である。
【０００９】
この多チャネル同時ＡＰＤ測定の手段を用いたＡＰＤ測定表示装置では、測定信号の統計的傾向を有効的に分析するために、同時測定している測定チャネル（測定周波数成分）のＡＰＤ測定結果をできるだけ多く同時表示させること、そして測定時間全体についてのＡＰＤ時間変動も表示できることが望ましい。
【００１０】
多チャネル同時ＡＰＤ測定結果は、測定対象となる信号の周波数／発生時間／振幅レベル／ＡＰＤの４つの属性を組み合わせた複数種類のグラフ表示によって、測定信号の各属性間の因果関係を容易に分析することができる。
【００１１】
ところで、この種のＡＰＤ測定表示装置は、各種電子機器から放射される不要輻射による電波障害、いわゆるＥＭＣ（Ｅｌｅｃｔｒｏ  Ｍａｇｎｅｔｉｃ  Ｃｏｍｐａｔｉｂｉｌｉｔｙ：電磁両立性）の測定評価に用いられる。具体的には、妨害波を発生する現場にＡＰＤ測定表示装置を持ち込んでＡＰＤ測定を行い、そのＡＰＤ測定結果に基づいて妨害波の発生源を特定し、妨害波の発生源が特定されると、そこにシールド用のシートを被せたり、対策部品を取り付けるなどして妨害波の放射を防ぐＥＭＣ対策を施している。
【００１２】
しかしながら、従来のＡＰＤ測定では、デジタイズされたデータを取り込み、この取り込んだデータをソフト的にＦＦＴ処理しており、測定信号を表現する物理軸としての時間軸、周波数軸、振幅軸の組み合わせが、通常、時間軸−振幅軸、周波数軸−振幅軸と各々独立しているので、これら両方を表示部に同時に展開して表示することができなかった。また、装置本体に備えた表示部の１つの表示画面上にＡＰＤ測定結果を表示していたので、上述した測定対象となる信号の周波数／発生時間／振幅レベル／ＡＰＤの４つの属性を組み合わせた複数種類のグラフ表示を同時に表示画面上に表示させてモニタすることができなかった。このため、ＡＰＤ測定が行われる現場でＥＭＣ対策の効果を評価するには、現在測定中のＡＰＤ測定結果の表示と、その比較対象となるＡＰＤ結果の表示とを交互に切り替えて分析する必要があり、その操作が煩わしく手間を要し、ＥＭＣ対策前後の分析評価がしずらいという問題があった。
【００１３】
そこで、本発明は上記問題点に鑑みてなされたものであって、現在と過去の測定結果を容易に比較して分析評価することができるＡＰＤ測定表示装置及びＡＰＤ測定表示方法を提供することを目的としている。
【課題を解決するための手段】
【００１４】
上記目的を達成するため、本発明の請求項１に記載されたＡＰＤ測定表示装置は、被測定信号の周波数成分を分析し、分析された各周波数成分の振幅をそれぞれ検出し、検出された各周波数成分の振幅について単位時間当たりの振幅確率を時間経過毎に求めるＡＰＤ測定部１００と、該ＡＰＤ測定部が出力する各周波数成分の振幅の振幅確率を時間経過に対応して記憶する記憶部２００と、表示部４００と、操作部５００と、前記記憶部に所定タイミングでアクセスして得られた最新の前記記憶部の記憶内容に基づいて、周波数、振幅、振幅確率及び時間のうち、２つ又は３つを次元とする座標に残りの１つをパラメータとするグラフを前記表示部に表示させる表示制御部３００とを備えたＡＰＤ測定表示装置であって、
前記表示制御部は、現在測定中のＡＰＤ測定結果と、その比較対象となるＡＰＤ結果とを、前記周波数、前記振幅、前記振幅確率及び前記時間のパラメータを組み合わせた複数のグラフの中から前記操作部で指定されるグラフ表示で前記表示部の同一画面上に表示することを特徴とする。
【００１５】
請求項２に記載されたＡＰＤ測定表示装置は、請求項１のＡＰＤ測定表示装置において、
前記表示制御部３００は、前記現在測定中のＡＰＤ測定結果と、その比較対象となる前記ＡＰＤ結果とを、前記指定されるグラフ表示で前記表示部４００の同一画面上の異なる表示領域に並べて識別表示することを特徴とする。
【００１６】
請求項３に記載されたＡＰＤ測定表示装置は、請求項１のＡＰＤ測定表示装置において、
前記表示制御部３００は、前記現在測定中のＡＰＤ測定結果と、その比較対象となる前記ＡＰＤ結果とを、前記表示部４００の同一表示画面上の前記指定されるグラフ表示上に重ねて識別表示することを特徴とする。
【００１７】
請求項４に記載されたＡＰＤ測定表示方法は、被測定信号の周波数成分を分析し、分析された各周波数成分の振幅をそれぞれ検出し、検出された各周波数成分の振幅について単位時間当たりの振幅確率を時間経過毎に求め、前記各周波数成分の振幅の振幅確率を時間経過に対応して記憶し、最新の記憶内容に基づいて、周波数、振幅、振幅確率及び時間のうち、２つ又は３つを次元とする座標に残りの１つをパラメータとするグラフを表示させるＡＰＤ測定表示方法であって、
現在測定中のＡＰＤ測定結果と、その比較対象となるＡＰＤ結果とを、前記周波数、前記振幅、前記振幅確率及び前記時間のパラメータを組み合わせた複数のグラフの中から指定されるグラフ表示で表示部４００の同一画面上に表示するステップを含むことを特徴とする。
【００１８】
請求項５に記載されたＡＰＤ測定表示方法は、請求項４のＡＰＤ測定表示方法において、
前記現在測定中のＡＰＤ測定結果と、その比較対象となる前記ＡＰＤ結果とを、前記指定されるグラフ表示で前記表示部４００の同一画面上の異なる表示領域に並べて識別表示することを特徴とする。
【００１９】
請求項６に記載されたＡＰＤ測定表示方法は、請求項４のＡＰＤ測定表示方法において、
前記現在測定中のＡＰＤ測定結果と、その比較対象となる前記ＡＰＤ結果とを、前記表示部４００の同一画面上の前記指定されるグラフ表示上に重ねて識別表示することを特徴とする。
【発明の効果】
【００２０】
本発明によれば、例えば電子機器などのＥＭＣ測定評価において、ＥＭＣ対策後の現在測定中のＡＰＤ測定結果と、その比較対象となるＥＭＣ対策前のＡＰＤ結果とを、表示部の同一画面上に表示して比較分析しながら測定が行え、ＥＭＣ対策の効果を容易に評価することができる。
【図面の簡単な説明】
【００２１】
【図１】本発明に係るＡＰＤ測定表示装置の実施形態の機能構成を示す図である。
【図２】本実施形態における表示するグラフの態様及びその切り替え態様を説明するための図である。
【図３】時間が特定値に固定で、周波数を横軸とし振幅確率（ＡＰＤ）を縦軸とする座標上に振幅（レベル）範囲をパラメータとするグラフの表示例を示す図である。
【図４】時間が特定値に固定で、周波数を横軸としレベルを縦軸とする座標上に振幅確率（ＡＰＤ）範囲をパラメータとするグラフの表示例を示す図である。
【図５】振幅（レベル）範囲が特定値に固定で、周波数を横軸とし時間を縦軸とする座標上に振幅確率（ＡＰＤ）範囲をパラメータとするグラフの表示例を示す図である。
【図６】振幅確率（ＡＰＤ）範囲が特定値に固定で、周波数を横軸とし時間を縦軸とする座標上に振幅（レベル）範囲をパラメータとするグラフの表示例を示す図である。
【図７】周波数毎（周波数がパラメータ）にレベル範囲が特定値に固定で、時間を横軸とし振幅確率（ＡＰＤ）を縦軸とする座標のグラフの表示例を示す図である。
【図８】周波数毎（周波数がパラメータ）に振幅確率（ＡＰＤ）範囲が特定値に固定で、時間を横軸とし振幅（レベル）を縦軸とする座標のグラフの表示例を示す図である。
【図９】振幅（レベル）を縦軸としＡＰＤを横軸とする座標上に周波数をパラメータとするレイリー尺のグラフの表示例を示す図である。
【図１０】振幅（レベル）を横軸としＡＰＤを縦軸とする座標上に周波数をパラメータとする対数尺のグラフの表示例を示す図である。
【図１１】振幅（レベル）範囲を特定値に固定し、周波数を横軸とし振幅確率（ＡＰＤ）を縦軸とし時間を奥行き方向の軸とする３次元座標上に周波数をパラメータとするグラフの表示例を示す図である。
【図１２】振幅確率（ＡＰＤ）範囲を特定値に固定し、周波数を横軸とし振幅（レベル）を縦軸とし時間を奥行き方向の軸とする３次元座標上に周波数をパラメータとするグラフの表示例を示す図である。
【図１３】ピークマーカを説明するための図である。
【図１４】フルスパン、及び、ゾーンマーカと拡大／縮小を説明するための図である。
【図１５】Ｎmeas＞Ｎdispの場合の平均処理方法の表示例を示す図である。
【図１６】Ｎmeas≦Ｎdispの場合の平均処理方法の表示例を示す図である。
【図１７】間引き処理方法の表示例を示す図である。
【図１８】間引き処理方法の他の表示例を示す図である。
【図１９】現在測定しているＡＰＤ測定結果と、比較対象となるＡＰＤ結果とを同一画面上に並べて表示した一例を示す図である。
【図２０】現在測定しているＡＰＤ測定結果と、比較対象となるＡＰＤ結果とを同じグラフ表示上に重ね書きして表示した一例を示す図である。
【発明を実施するための形態】
【００２２】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例及び運用技術等はすべて本発明の範疇に含まれる。
【００２３】
まず、図１を参照しながら、本発明に係るＡＰＤ測定表示装置のＡＰＤ測定に係る主要構成について説明する。ＡＰＤ測定表示装置１は、図１に示すように、ＡＰＤ測定部１００、記憶部２００、表示制御部３００、表示部（表示装置）４００、操作部５００、制御部６００を備えて構成される。
【００２４】
ＡＰＤ測定部１００は、入力信号から所望の周波数帯におけるＡＰＤを測定するもので、周波数分析部１１０、レベル検出部１２０、ＡＰＤ部１３０を備えている。
【００２５】
周波数分析部１１０は、測定しようとする所望の周波数帯（広帯域）の入力信号を選択し、さらに狭い所望の周波数帯域（狭帯域）に分けて選択するものであって、帯域選択手段１１０ａ、Ａ／Ｄ変換手段１１０ｂ、及び周波数選択手段１１０ｃで構成される。帯域選択手段１１０ａとしては、例えば、高周波の通信周波数帯域におけるノイズを測定しようとするなら、いわば特許文献２に示されるようなヘテロダイン方式を採用することができる。つまり、入力信号（ノイズ）を局部発振器でミキシングして低周波数の信号に変換して、ここで所望の周波数帯域（δＦ）のバンドパスフィルタを用いて必要な周波数帯の周波数成分に制限する。
【００２６】
なお、測定対象の信号の周波数帯域が低く、Ａ／Ｄ変換手段１１０ｂが直接に利用できる周波数帯であれば、帯域選択手段１１０ａは必ずしも必要ではない。
【００２７】
Ａ／Ｄ変換手段１１０ｂは、帯域選択手段１１０ａで帯域制限された低周波数の周波数成分（信号）を受け、クロック発生器（不図示）からの周期のクロックで振幅（レベル）幅ΔＬの細かさ（この細かさに応じた閾値がある。）で標本化（サンプリング）し、デジタルデータに変換する。後に求められる振幅確率（ＡＰＤ）は、この標本化時のレベル幅ΔＬの細かさ毎に求められる。
【００２８】
周波数選択手段１１０ｃは、δＦの周波数帯域に亘る低周波信号を受けて、さらにｎ個（以下、ｎ（数値）チャネル、或いはｎ（数値）ＣＨということがある。）のバンドパスフィルタ群により更に細かい周波数帯域（δＦ／ｎ）に切り分ける。例えば、通信回線のチャネルが１ｋＨｚ毎であれば中心周波数が１ｋＨｚづつズレ、かつ周波数帯域がほぼ１ｋＨｚのバンドパスフィルタをＢＰＦ１〜ＢＰＦｎのｎ個を備える。周波数選択手段１１０ｃは、例えば、フィルタバンクとして、ＣＰＵによりソフト的にＦＦＴ処理して行える。
【００２９】
レベル検出部１２０は、周波数選択手段１１０ｃのバンドパスフィルタのそれぞれの出力に対応した振幅、つまり各チャネルの振幅を検出する検波器ＤＥＴ１〜ＤＥＴｎを有し、それぞれチャネルの周波数成分（バンドパスフィルタの中心周波数に該当）の振幅（レベル）を検出する。
【００３０】
ＡＰＤ部１３０は、検波器ＤＥＴ１〜ＤＥＴｎに対応して振幅確率を測定するＡＰＤ検出器であるＡＰＤ１〜ＡＰＤｎ、クロック発生部１３０ａ、及び範囲分類手段１３０ｂを備える。ＡＰＤ１〜ＡＰＤｎのそれぞれの構成、動作は、同じであって、検波器ＤＥＴ１〜ＤＥＴｎの出力をＬＯＧ変換器で対数変換して振幅の単位を「ｄＢ」変換して振幅確率を測定している。振幅確率を測定するＡＰＤ検出器であるＡＰＤとしては、ここでは、従来のＡＰＤを採用できる。例えば、特許文献２に記載のＡＰＤ、或いは、特願２００６−２５３８８９号公報に記載のＡＰＤが使用できる。
【００３１】
ＡＰＤ１〜ＡＰＤｎは、振幅確率（分布）を測定する。振幅確率は、同じ大きさの入力信号が所定の時間範囲（期間：Δｔ）内に受ける回数（発生する回数）を表す。入力信号の大きさを区別する細かさは、この例では、Ａ／Ｄ変換手段１１０ｂの細かさΔＬと同じである。確率を測定する時間範囲Δｔは、クロック発生部１３０ａからのコントロールに従う。
【００３２】
クロック発生部１３０ａは、パルス発生器とタイマーを用いて、例えば時間範囲Δｔとして、１秒間隔、１０秒間隔、或いは１分間隔（いずれも、これらの時間周期のパルスでも良い。）、等のタイミング信号を発生してＡＰＤ１〜ＡＰＤｎに対し、それらの時間範囲内で受ける入力信号の大きさの頻度を測定させることにより、振幅確率を測定させる。操作部５００からの指示で制御部６００を通してタイマーのカウント時間を変更して時間範囲Δｔを変更できる構成にしても良い。
【００３３】
範囲分類手段１３０ｂは、ＡＰＤ１〜ＡＰＤｎがそれぞれ演算して求めた振幅確率の値に応じて、ある範囲に分類する。これは、例えば、１％の分解能で調査しても良いが、その調査目的に応じた分解能で、調査に適切な範囲に分類するために設けた機能である。この実施形態では、操作部５００からの指示で振幅確率が０から１％、１％から１０％、１０％から５０％、５０％から１００％の４段階に分類している。分類の仕方としては、例えば、ＡＰＤ１〜ＡＰＤｎが求めた振幅確率の値と、分類した範囲に相当する複数の閾値とを比較して、比較結果が属する範囲の確率分類識別札を付す。操作部５００からの指示で制御部６００を通して所望の閾値に変更することにより、分類範囲を変更できる構成にしても良い。
【００３４】
なお、ＡＰＤ１〜ＡＰＤｎからは、速ければ、時間範囲Δｔ毎に、更新された振幅確率値が集計されて出力される。また、範囲分類手段１３０ｂは、レベル検出部１２０で検出した各振幅を例えばレベル測定範囲の全範囲が０ｄＢｍからー１００ｄＢｍであれば、２０ｄＢ間隔に分類して、振幅確率と同様に、振幅分類札を付しておく。
【００３５】
記憶部２００は、ＡＰＤ１〜ＡＰＤｎから出力される振幅値とその振幅確率値とを時間経過ともに全測定チャネル（測定周波数）数分だけ測定結果データ（ＡＰＤ測定結果）として記憶する。時間経過は、少なくとも、振幅確率を測定するときの時間範囲Δｔ毎に記憶する。さらに、記憶部２００は、範囲分類手段１３０ｂが分類したときの確率分類識別札を該当する振幅確率値に対応して、振幅分類札を該当する振幅値に対応して、かつ測定した周波数に対応して記憶する。また、振幅値、振幅確率値を取得した時間情報もクロック発生部１３０ａから受けて記憶する。なお、上記の範囲分類手段１３０ｂは、記憶部２００の入力側（ＡＰＤ部１３０側）には無く、出力側（表示制御部３００側）に在って、記憶されている振幅確率値又は振幅値が出力されるときに、その振幅確率値又は振幅値がどの分類に属するか判定し、その判定された各分類識別札を添付して出力する構成にしても良い。記憶部２００は、表示制御部３００からアクセスにより、最新の記憶内容や保存しておいた過去に取得した記憶内容が読み出し可能にされている。
【００３６】
表示制御部３００は、ＡＰＤ測定に必要な各種設定項目や測定結果などの表示部４００の表示を制御する手段であって、大きく分けて、次の（Ｉ）〜（Ｖ）の要素を備えている。すなわち、表示制御部３００は、（Ｉ）記憶部２００からの振幅確率値、振幅値、周波数及び時間情報を所定タイミングで受け、操作部５００の設定内容に応じたグラフを生成するグラフ生成部３１０、フルスパン制御部３１０ｂ、（ＩＩ）表示されているグラフ上にマーカを設定するための手段である、指定マーカ生成部３２０、ピークサーチ部３４０及びピークマーカ生成部３５０、ゾーンマーカ生成部３６０及び拡大／縮小制御部３１０ａ、及び数値制御部３１０ｃ、（ＩＩＩ）操作部５００からの指示に基づいて、指示に沿った所望のグラフ等を表示部４００に表示するための手段としての画面制御部３３０、並びに（ＩＶ）上記各表示を行うための共通の表示フォーマット記憶部３７０及び座標情報記憶部３８０、（Ｖ）表示部４００の１つの表示画面が複数の表示領域からなる画面（例えば２画面、４画面など）に分割設定され、グラフ生成部３１０で生成されるグラフを指定される表示領域の画面に表示して表示部４００の同一画面上に複数のグラフを表示制御するマルチ画面表示制御部（不図示）を備える。
【００３７】
なお、操作部５００による設定内容は、グラフの種類（スペクトラム表示のグラフ、スペクトログラム表示のグラフ、チャート表示のグラフ、函数尺表示のグラフ、３Ｄ表示のグラフ）、表示フォーマット（横軸、縦軸、色帯、カラーマップ）、函数尺表示（対数尺、函数尺）の有無、拡大縮小表示（デフォルト、フルスパン、ズーム）、表示手法（帯域平均、固定ポイント選択、指定ＡＰＤ値ポイント選択、指定レベル値ポイント選択、ピーク値ポイント選択、瞬時電力平均値ポイント選択、瞬時電圧平均値ポイント選択、ピーク対平均電力比ポイント選択）、処理方法（平均処理、間引き処理）、関連するグラフ表示軸（周波数軸、時間軸）などである。
【００３８】
表示制御部３００は、上記（Ｉ）〜（Ｖ）の各機能を表すプログラムと記憶手段とプログラムを実行させて各機能を実現させるＣＰＵで構成される。なお、座標情報記憶部３８０が記憶している座標情報は、表示されるグラフ、目盛り、各表示欄等の表示画面の位置を特定するのに必要な情報であり、表示フォーマット記憶部３７０が記憶しているフォーマットは、表示されるグラフ、マーカ、目盛り、各表示欄等のレイアウト及び図形であり、表示制御部３００の各要部が、表示させようとしたときに、表示する位置を特定し、特定した位置に該当するフォーマットで表示するために用いられる。以下の、各要素での説明では、この座標やフォーマットについての説明は省略する。
【００３９】
グラフ生成部３１０は、記憶部２００に所定タイミングで、例えば、上記した時間範囲Δｔの間隔でアクセスして得られた最新の前記記憶内容に基づいて、記憶されている周波数、振幅、振幅確率及び時間のうち、少なくともいずれか２つを次元とする座標に他の１つをパラメータとする第１のグラフを生成する。そして、操作者が注視するデータとして、その表示されているグラフ上の２つの次元又はパラメータにおける特定の値又は特定の範囲のいずれかを特定値として指定マーカで指定されているとき、操作部５００からの切り替え指示を受けて、指定マーカで指定された２つの次元又はパラメータをその特定値に固定したときの、指示を受けた新たな組合せの次元及びパラメータについてのグラフに切り替えて生成する。
【００４０】
グラフ生成部３１０は、２次元のグラフを生成する場合は、周波数、振幅、振幅確率及び時間の各次元のうち、後記する指定マーカ又はピークマーカで、或いはデフォルトとして、指定（或いは特定）された何れかの次元における特定値を固定値とし、記憶部２００からその特定値が関与する残りの次元のデータを読み出す。そして、その残りの次元のうちの２つの次元のデータを操作部５００から要求されている所望のグラフの横軸（以下、「Ｘ軸」と言う。）と縦軸（以下、「Ｙ軸」と言う。）として割りあて、残りの１つの次元のデータをパラメータとしたグラフを生成し、さらに、上記所定タイミングで都度、更新して表示が行えるようにグラフの生成処理を行う。３次元のグラフを生成する場合は、特定値が指定された次元以外の残りの次元を３次元として割り当てて生成する。また、グラフ生成部３１０は、上述した２次元又は３次元のグラフを表示部４００の表示画面上の指定された表示領域の画面に表示するに際して、操作部５００によりグラフの種類が選択されて表示手法・処理方法・関連するグラフ表示軸が設定されると、操作部５００により指定された表示領域の画面の表示ポイント数に合せたデータ処理（追って説明する平均処理、間引き処理）を行い、指定された表示領域の画面に表示させるためのグラフを生成している。
【００４１】
次の（ａ）〜（ｅ）においてグラフ生成部３１０が生成する具体的なグラフ例を説明し、（ｆ）（ｇ）においてグラフの切り替えを説明する。なお、周波数、振幅、振幅確率及び時間の各次元についての処理は、各グラフのいずれも上記した２次元又は３次元のグラフ生成と共通して同じであり、グラフ毎のその説明は割愛する。
【００４２】
図２は、表示用のグラフを複数のグループに分け、各グラフ間の切り替えを示す。グラフのグループとしては、図２のように、ＡＰＤ測定に関して、スペクトラム表示のグラフ、スペクトログラム表示のグラフ、チャート表示のグラフ、函数尺表示のグラフ、３Ｄ表示のグラフに分かれる。なお、以下の説明に出てくる各数値は説明上の一例である。
【００４３】
（ａ）スペクトラム表示のグラフ
このグループのグラフは、周波数に対する振幅又は振幅確率の変化を観察するのに適しており、次の（ａ−１）ＡＰＤスペクトラムと（ａ−２）レベルスペクトラムがある。
【００４４】
（ａ−１）ＡＰＤスペクトラム
時間（ｔ）を特定値に固定にし、Ｘ軸を周波数（ｆ）、Ｙ軸を振幅確率（ＡＰＤ）とし、振幅範囲（Ｌｖ：レベル）をパラメータとするグラフ（表示例は、図３を参照）。図３は、測定時間が７９ｓｅｃで観察したときの（固定にしたときの）データであり、そのときのパラメータである振幅範囲の値をー２０ｄＢｍ≦振幅（レベル）、―４０ｄＢｍ≦振幅＜―２０ｄＢｍ、―６０ｄＢｍ≦振幅＜―４０ｄＢｍ、―８０ｄＢｍ≦振幅＜―６０ｄＢｍ、で色分けして表示している。マーカ（ＭＫＲ）はマルチマーカとして５つ（図３の「▲」印）を入れてあり、いずれも指定マーカ生成部３２０で生成して表示している。図３では、そのマルチマーカ（ＭＫＲ）の内の一つ、つまりＭＫＲ５が現時点で操作部５００から操作されたばかりのマーカである、アクティブマーカＭＫＲ５として表示され、その周波数がグラフの左側の直ぐ下に表示されている。各マーカにおける振幅（レベル）、振幅確率（ＡＰＤ）は、下段の表に示している。指定マーカはＹ軸の１０％＜ＡＰＤ≦５０％の範囲に設定されている。
【００４５】
（ａ−２）レベルスペクトラム
時間（ｔ）を特定値に固定にし、Ｘ軸を周波数（ｆ）、Ｙ軸を振幅（Ｌｖ）とし、振幅確率範囲（ＡＰＤ）をパラメータとするグラフ（表示例は、図４を参照）。図４は、図３と同様に測定時間が７９ｓｅｃで観察したときのデータであり、そのときのパラメータである振幅確率の値を５０％＜ＡＰＤ、１０％＜ＡＰＤ≦５０％、１％＜ＡＰＤ≦１０％、０％＜ＡＰＤ≦１％、で色分けして表示している。指定マーカはＹ軸の―６０ｄＢｍ≦振幅＜―４０ｄＢｍの範囲に設定されている。
【００４６】
（ｂ）スペクトログラム表示のグラフ
このグループのグラフは、周波数と時間に対する振幅又は振幅確率の変化を観察するのに適しており、次の（ｂ−１）ＡＰＤスペクトログラムと（ｂ−２）レベルスペクトログラムがある。
【００４７】
（ｂ−１）ＡＰＤスペクトログラム
振幅（Ｌｖ；レベル）を特定値に固定にし、Ｘ軸を周波数（ｆ）、Ｙ軸を時間とし、振幅確率範囲をパラメータとするグラフ（表示例は、図５を参照）。図５は、振幅範囲を―６０ｄＢｍ≦振幅＜―４０ｄＢｍの範囲で観察したときの（固定したときの）データであり、そのときのパラメータである振幅確率の値を５０％＜ＡＰＤ、１０％＜ＡＰＤ≦５０％、１％＜ＡＰＤ≦１０％、０％＜ＡＰＤ≦１％、で色分けして表示している。そして指定マーカが縦軸の時間ｔ＝７９ｓｅｃに設定されている。
【００４８】
（ｂ−２）レベルスペクトログラム
振幅確率範囲（ＡＰＤ）を特定値に固定にし、Ｘ軸を周波数（ｆ）、Ｙ軸を時間とし、振幅範囲をパラメータとするグラフ（表示例は、図６を参照）。図６は、振幅確率範囲を１０％＜ＡＰＤ≦５０％で観察したときの（固定したときの）データであり、そのときのパラメータである振幅範囲の値をー２０ｄＢｍ≦振幅（レベル）、―４０ｄＢｍ≦振幅＜―２０ｄＢｍ、―６０ｄＢｍ≦振幅＜―４０ｄＢｍ、―８０ｄＢｍ≦振幅＜―６０ｄＢｍ、で色分けして表示している。そして、この場合も、指定マーカが縦軸の時間ｔ＝７９ｓｅｃに設定されている。
【００４９】
（ｃ）チャート表示のグラフ
このグループのグラフは、周波数毎に、振幅又は振幅確率の時間経過を観察するのに適しており、次の（ｃ−１）ＡＰＤチャート及び（ｃ−２）レベルチャートがある。
【００５０】
（ｃ−１）ＡＰＤチャート
振幅範囲（Ｌｖ；レベル）を特定値に固定にし、周波数（ｆ）毎（つまり、周波数がパラメータ）にＸ軸を時間（ｔ）、Ｙ軸を振幅確率（ＡＰＤ）とするグラフ（表示例は、図７を参照）。図７は、振幅範囲の値を―２０ｄＢｍ≦振幅（レベル）、ー４０ｄＢｍ≦振幅＜−２０ｄＢｍ、ー６０ｄＢｍ≦振幅＜−４０ｄＢｍ、ー８０ｄＢｍ≦振幅＜―６０ｄＢｍで色分けして表示している。そして指定マーカが縦軸の時間ｔ＝７９ｓｅｃに設定されている。
【００５１】
（ｃ−２）レベルチャート
振幅確率範囲（ＡＰＤ）を特定値に固定にし、周波数（ｆ）毎（つまり、周波数がパラメータ）にＸ軸を時間（ｔ）、Ｙ軸を振幅（Ｌｖ）とするグラフ（表示例は、図８を参照）。図８は、振幅確率範囲の値を５０％＜ＡＰＤ、１０％＜ＡＰＤ≦５０％、１％＜ＡＰＤ≦１０％、０％＜ＡＰＤ≦１％で色分けして表示している。そして指定マーカが縦軸の時間ｔ＝７９ｓｅｃに設定されている。
【００５２】
（ｄ）函数尺表示のグラフ
このグラフは、振幅と確率が直接にどのような関係にあるかを観察するのに適している。一般には、リニアな座標、或いは一方が対数尺で表示することが多いが、雑音の振幅確率を測定するときは、雑音の発生現象に着目した見方として、レイリー関数尺で表したグラフがある。測定する信号が雑音であるとすると、レイリー分布、正規分布、指数分布、χ２分布等の函数尺があると便利である。函数尺については、本出願人に係る技術であって特許第３３７４１５４号公報に記載された技術がある。
【００５３】
ここでは、対数尺とレイリー函数尺を準備しているとして説明する。つまり、時間を特定値に固定にし、Ｘ軸を振幅（Ｌｖ）、Ｙ軸を振幅確率（ＡＰＤ）とし、周波数（ｆ）をパラメータとするグラフであって、少なくとも一方を対数函数とするグラフ、少なくとも一方をレイリー函数とするグラフを生成する（表示例は、図９のレイリー尺グラフ、図１０の対数尺グラフを参照）。図９は、時間ｔ＝７９ｓｅｃで、横軸をレイリー尺の振幅確率とし、縦軸をｄＢのリニアで振幅を表した例で、指定マーカが振幅確率―６０ｄＢｍ≦振幅＜―４０ｄＢｍの範囲内の位置にある。図１０は、時間ｔ＝７９ｓｅｃで、横軸をｄＢ（対数）のリニアで振幅とし、縦軸を対数尺で振幅確率を表した例で、指定マーカが振幅確率１０％＜ＡＰＤ≦５０％の範囲内の位置にある。
【００５４】
なお、特に図示はしていないが、グラフ生成部３１０は、ＡＰＤと密接な関係にあるＰＤＦ（確率密度関数）に関しても同様の函数尺グラフを生成することもできる。
【００５５】
（ｅ）３Ｄ表示のグラフ
このグループのグラフは、できるだけ多次元で全体の傾向を観察するのに適しており、次の（ｅ−１）３Ｄ−ＡＰＤ及び（ｅ−２）３Ｄ―振幅がある。
【００５６】
（ｅ−１）３Ｄ−ＡＰＤグラフ
振幅範囲（Ｌｖ；レベル）を特定値に固定にし、３軸のうち、Ｘ軸を周波数、奥行き方向の軸（以下、「Ｙ軸」と言う。）を時間、Ｚ軸を振幅確率（ＡＰＤ）とするグラフ（表示例は、図１１を参照）。図１１は、振幅範囲を―６０ｄＢｍ≦振幅＜―４０ｄＢｍで観察したときの（固定したときの）データであり、そして指定マーカが縦軸の時間ｔ＝７９ｓｅｃに設定されている。
【００５７】
（ｅ−２）３Ｄ−レベルグラフ
振幅確率範囲（ＡＰＤ）を特定値に固定にし、３軸のうち、Ｘ軸を周波数、Ｙ軸を時間、Ｚ軸を振幅（Ｌｖ；レベル）とするグラフ（表示例は、図１２を参照）。図１２は、振幅確率範囲を１０％＜ＡＰＤ≦５０％で観察したときの（固定したときの）データであり、そして指定マーカが縦軸の時間ｔ＝７９ｓｅｃに設定されている。
【００５８】
このように、グラフ生成部３１０は、先のグラフとして表示部４００に周波数、振幅、振幅確率及び時間のうち、少なくともいずれか２つを次元とする座標に他の１つをパラメータとするグラフ（第１のグラフ）を表示させているとき、指定マーカ生成部３２０で、その第１のグラフ上の２つの次元又はパラメータにおける特定の値又は特定の範囲のいずれかを特定値としているときに、操作部５００からの指定マーカで指定された２つの次元又はパラメータの特定値に固定したときの、新たな組合せの次元及びパラメータについての第２のグラフを生成して表示させる。その時の切り替え先の第２のグラフとしては、周波数、振幅、振幅確率及び時間のうち、特定値を指定された次元又はパラメータとなる１つを除く、３つのうちいずれか２つを次元とする座標上に残りの１つをパラメータとする新たなグラフを生成することになる。
【００５９】
なお、上述したグラフ生成部３１０によるグラフの生成は、後述するマルチ画面表示機能により表示部４００の同一表示画面に複数のグラフを表示している際も、各表示領域の画面毎に任意に指定して実行することができる。
【００６０】
（ｆ）グループ間のグラフの切り替え
図２は、グラフ間での切り替えを示す図である。切り替えにあたっては、切り替え元のグラフ上で所望の切り替え先のグラフの特定値を指定マーカで指定し、該当するグラフを指示することにより切り替えられる。
【００６１】
つまり、表示部４００に表示されるグラフの切り替えは、画面制御部３３０が操作部５００からのグラフ要求指示にしたがって、グラフ生成部３１０に指示して切り替えさせる。そのとき、画面制御部３３０は、表示部４００に表示されているグラフ上で、指定マーカにより２つの次元又はパラメータにおける特定値（或いは特定の範囲）を特定値として指定されている状態で、操作部５００からの切り替え指示を受けたとき、その特定値を指定された２つの次元又はパラメータを特定値に固定したときの、新たな所望の組合せの次元及びパラメータについてのグラフをグラフ生成部３１０に生成させる。例を、次に説明する。
【００６２】
なお、表示したい所望のグラフは、操作部５００で、上記（ａ）から（ｅ）までのグラフ名（グラフの種類）を選択指示することによって行われる。以下図２及び図３から図１２を元に個別の切り替えについて説明する。
【００６３】
（ｆ−１）スペクトログラム表示からスペクトラム表示への切り替え
先に図５（又は図６）のグラフが表示されていて指定マーカが時間軸の時間ｔ＝７９ｓｅｃを特定値と指定して図３（又は図４）に切り替えられたとき、グラフ生成部３１０は、上記（ａ）に記載のように、Ｘ軸を周波数（ｆ）、Ｙ軸を振幅確率（又は振幅）とし、時間ｔ＝７９ｓｅｃを固定し、この時間ｔ＝７９ｓｅｃにおける振幅及び振幅範囲（又は振幅確率及び振幅確率範囲）を記憶部２００から読み出して、読み出した振幅及び振幅範囲（又は振幅確率及び振幅確率範囲）をパラメータとするグラフを生成する。
【００６４】
（ｆ−２）スペクトラム表示からスペクトログラム表示への切り替え
先に図３（又は図４）のグラフが表示されていて指定マーカが振幅確率範囲１０％＜ＡＰＤ≦５０％（又は振幅範囲―６０ｄＢｍ≦振幅＜―４０ｄＢｍ）を指定しているときに、図５（又は図６）に切り替えられたとき、グラフ生成部３１０は、上記（ａ）に記載のように、Ｘ軸を周波数（ｆ）、Ｙ軸を時間とし、振幅確率範囲１０％＜ＡＰＤ≦５０％における振幅範囲（又は振幅―６０ｄＢｍ≦振幅＜―４０ｄＢｍにおける振幅確率範囲）を記憶部２００から読み出して、読み出した振幅範囲（又は振幅確率範囲）をパラメータとするグラフを生成する。このとき、図５（図６）には、図３（又は図４）における特定値ｔ＝７９ｓｅｃに該当する位置に、指定マーカが付されている。
【００６５】
（ｆ−３）チャート表示とスペクトラム表示間の切り替え
例えば、図７（又は図８）のグラフから特定値ｔ＝７９ｓｅｃを指定して図３（又は図４）のグラフへ切り替え可能であり、逆に図３（又は図４）のグラフで特定値として、周波数を指定して、図７（又は図８）へのグラフ切り替え可能である。
【００６６】
（ｆ−４）チャート表示とスペクトログラム表示間の切り替え
同様に、例えば、図５（又は図６）のグラフと図７（又は図８）のグラフの間の切り替えは、特定値を例えば、振幅確率範囲１０％＜ＡＰＤ≦５０％における振幅範囲（又は振幅―６０ｄＢｍ≦振幅＜―４０ｄＢｍにおける振幅確率範囲）のまま同じにしておいて、互いのグラフの２次元とパラメータを変えることで、切り替え可能である。
【００６７】
（ｆ−５）函数尺表示とスペクトラム表示間の切り替え
例えば、図９のグラフと図３（又は図４）のグラフとの切り替えは、特定値を例えば、時間ｔ＝７９ｓｅｃのまま同じにしておいて、互いのグラフの２次元とパラメータを変えることで、切り替えることで可能である。
【００６８】
（ｆ−６）函数尺表示とスペクトログラム表示又はチャート表示間の切り替え
図９のグラフで特定値を、例えば、振幅確率範囲１０％＜ＡＰＤ≦５０％における振幅範囲（又は―６０ｄＢｍ≦振幅＜―４０ｄＢｍにおける振幅確率範囲）を指定して、図５（図６）又は図７（図８）のグラフへ切り替える。逆に、図５（図６）又は図７（図８）のグラフで特定値として時間ｔ＝７９ｓｅｃを設定して、図９のグラフへ切り替え可能である。
【００６９】
（ｆ−７）３Ｄグラフ（図１１、図１２）と他のグラフとの間の切り替え
図１１，図１２は、指定マーカによる特定値がＹ軸（奥行き方向）の時間ｔ＝７９ｓｅｃであり、この状態から図３（図４）への切り替え可能である。指定マーカでＸ軸＝周波数又はＺ軸＝振幅確率（振幅）の特定値を指定して、図５〜図１０への切り替えが可能である。これらの逆の切り替えも可能である。
【００７０】
これにより、操作者は、上記のグラフの切り替えによって、各注視点を中心に展開したグラフを観察できる。また、注視点を変更して、同様の観察ができる。
【００７１】
（ｇ）グループ内のグラフの切り替え
図２のスペクトラム表示グループ内のグラフ（図３と図４）、スペクトログラム表示グループ内のグラフ（図５と図６）における同じグループ内の切り替えは、画面制御部３３０が操作部５００からの指示で、パラメータを振幅範囲又は振幅確率範囲の何れかに切り替えることで達成できる。チャート表示グループ内のグラフ（図７と図８）、３Ｄ表示グループ内のグラフ（図１１と図１２）における同じグループ内の切り替えは、Ｚ軸を振幅又は振幅確率の何れかに切り替えることで達成できる。函数尺表示グループ内のグラフの切り替えは、函数尺の種類を切り替えることで達成できる。
【００７２】
なお、後述するマルチ画像表示制御部３９０によるマルチ画面表示機能で表示部４００の表示画面上に複数のグラフを表示している状態であっても、上述した手法によって各表示領域の画面毎に任意にグラフの切り替えを行うことができる。
【００７３】
指定マーカ生成部３２０は、表示部４００の表示画面上に表示されているグラフに対し、操作部５００からの指示で各グラフの座標を構成する各次元を指定することができる（例えば、図５を参照）。そして、その特定値は、次の切り替え先のグラフで固定値に固定され、その固定値を中心に展開したグラフを得ることができる。
【００７４】
指定マーカ生成部３２０は、操作部５００からの指示で各グラフの座標を構成する各次元の指定ばかりでなく、パラメータ（或いはそのスケール）を指定することもできる。そして、その特定値は、次の切り替え先のグラフ固定値に固定され、その固定値を中心に展開したグラフを得ることができる。例えば、図５におけるパラメータのスケールである、「振幅確率範囲の識別表示」箇所にサブマーカ（指定マーカの一種類として）を置くことで指定し、このサブマーカで指定された振幅確率範囲を特定値として、次のグラフを展開することもできる。図５では、サブマーカをパラメータのスケールのところに設定したが、グラフ中（座標内）のパラメータを直接指す位置に設定しても良い。
【００７５】
指定マーカ生成部３２０は、指定マーカの他に、単一のマーカ（ＭＫＲ）又は複数のマルチマーカ（ＭＫＲ）を生成して、表示させることができる。図５では、５つのマーカをＸ軸（周波数軸）に設定された例である。図５の場合、数値制御部３１０ｃは、そのマルチマーカ点における、かつ特定値ｔ＝７９ｓｅｃにおける、周波数、振幅（レベル）及び振幅確率（ＡＰＤ）を記憶部２００から読み出して、図５の下段に表示させる。つまり、単一又はマルチマーカは、そのマーカ点におけるデータを数値で読み取るためのものであると同時に、グラフ表示されている値以外のデータの値も読み取り、表示することができる。単一マーカの例を図９に示す。
【００７６】
ピークサーチ部３４０は、所定のグラフを表示しているときに、画面制御部３３０を介して操作部５００からピークをサーチする範囲の指定を受けてその範囲におけるピーク位置を求める。そして、ピークマーカ生成部３５０は、その表示されているグラフ上に、ピーク位置を示すマーカを生成して、表示部４００に表示させる。例えば、図１３に示すような、レベルチャート（振幅が縦軸、時間が横軸）のグラフ上で、１０％＜ＡＰＤ≦５０％の範囲におけるピークマーカの表示要求があったとき、ピークサーチ部３４０は、記憶部２００にアクセスして１０％＜ＡＰＤ≦５０％の範囲で各周波数における振幅（レベル）がピークとなるＸ軸、Ｙ軸の位置をサーチするとともに、同時にそのピーク位置における振幅及び振幅確率を読みとる。そして、ピークマーカ生成部３５０は、ピーク位置にピーク位置を示すマーカを生成して表示させ、かつ数値制御部３１０ｃがピーク位置における振幅及び振幅確率を表示させる（図１３の白抜き表示を参照）。
【００７７】
なお、ピークマーカはパラメータの最大値を示すので、そのピークマーカで指定されたパラメータの特定値を特定するものとして、前記指定マーカの代わりにピークマーカで特定された値を特定値に用いて、上記（ｆ）のようにグラフを切り替えることも可能である。
【００７８】
フルスパン制御部３１０ｂは、例えば、図１４（ａ）に示すレベルチャートのグラフが右端をカンレト時間位置（現在時間位置）として５分前からの振幅変化を表示しているとき、操作者が、測定開始からのレベル変化を観測したい旨の要求を操作部５００からしたとき、その要求を、画面制御部３３０を介して受けたフルスパン制御部３１０ｂが、グラフ生成部３１０に対して、測定開始時刻（０時刻）から現在時刻まで（フルスパン；Ｆｕｌｌ  Ｓｐａｎ）のレベル変化を示すレベルチャートを、例えば図１４（ｂ）に示すグラフを生成させて、それ表示部４００に表示させる。フルスパン制御については、レベルチャートのグラフで説明したが、上記、他のグラフであっても実行できる。
【００７９】
ゾーンマーカ生成部３６０は、表示されているグラフ上であって、操作部５００から指示される位置及び幅に、ゾーンを示すマーカを生成して表示させる。図１４（ｂ）のゾーンマーカを参照。そのゾーンがグラフに表示されているとき、操作部５００から拡大指示を、画面制御部３３０を介して受けた拡大／縮小制御部３１０ａは、そのグラフの指定された範囲を拡大（画像を拡大）したグラフをグラフ生成部３１０に生成させ、表示部４００に拡大表示させる。図１４（ｃ）を参照。図１４（ｃ）を表示しているときに、次に縮小指示を受けた拡大／縮小制御部３１０ａは、そのグラフの指定された範囲を縮小（画像を縮小）したグラフをグラフ生成部３１０に生成させ、図１４（ｂ）のように表示部４００に拡大表示させる。ゾーンマーカ、及び拡大／縮小の制御については、レベルチャートのグラフで説明したが、上記、他の種類のグラフであっても実行できる。
【００８０】
なお、グラフ生成部３１０は、操作部５００からフルスパン制御部３１０ｂを介してフルスパンの表示要求、又は操作部５００から拡大／縮小制御部３１０ａを介して拡大・縮小の表示要求が特に無い場合は、予め決められた大きさ（デフォルト値）のグラフを生成する。
【００８１】
画面制御部３３０は、各部を説明しているときに既に説明したように、操作部５００からの指示を受け、表示制御部３００内の各部を制御する。
【００８２】
上記の表示制御部３００は、上記説明した機能・動作を記載したプログラムと、それを実行するＣＰＵで構成される。なお、図１の表示制御部３００を構成する各要部の組合せは、必ずしも図１の通りである必要はなく、上記した機能・動作を実行するうえで、或いはそれを設計するうえで、より合理的に組み替え変更されるものである。上記した機能・動作を実行する構成である限り、本発明の範疇である。
【００８３】
表示部４００は、液晶ディスプレイやＣＲＴ等のＡＰＤ測定表示装置１の本体に装備された表示機器で構成され、操作部５００による設定内容や指示に基づく表示制御部３００の表示制御により、同一表示画面上への複数のグラフ表示（マルチ画面表示機能）、ＡＰＤ測定に関する各種設定項目画面の表示、ＡＰＤ測定表示装置１の駆動や各種制御に関する表示を行っている。
【００８４】
操作部５００は、例えばテンキーや選択ボタン等の操作キー、マウス等のポインティングデバイス、表示部４００の表示画面に対応する入力画面への接触操作による接触位置を検出するためのタッチセンサを備えるタッチパネル等の各種入力装置で構成される。操作部５００は、ＡＰＤ測定開始と終了の指示、ＡＰＤ測定結果に基づく各種グラフ表示に関する設定、表示部４００の表示領域の画面の分割設定、表示部４００の指定された表示領域の画面へのグラフ表示の指示、後述するＥＭＣ対策前後表示機能によるグラフ表示の指示、ＡＰＤ測定に関する各種設定項目のパラメータ設定、クロック発生部１３０ａのタイマのカウント時間の変更指示、範囲分類手段１３０ｂによる振幅確率の分類指示など行う際に操作者によって操作され、この操作に応じた設定内容や指示が表示制御部３００に出力される。
【００８５】
制御部６００は、ＡＰＤ測定を行うにあたって、ＡＰＤ測定部１００へのＡＰＤ測定に関する各種設定制御を含め、ＡＰＤ測定表示装置１を構成する各部を統括制御している。
【００８６】
また、本例のＡＰＤ測定表示装置１では、図２に示すスペクトラム表示のグラフ、スペクトログラム表示のグラフ、チャート表示のグラフ、函数尺表示のグラフ、３Ｄ表示のグラフのいずれかを選択して表示部４００に表示を行う際に、表示部４００の表示画面上に表示されるソフトキー（操作部５００）の操作により、表示手法、処理方法、関連するグラフ表示軸が設定されると、設定された表示手法によるグラフ表示が表示部４００の指定された表示領域の画面になされるべく、全測定チャネルの測定結果データを指定された表示領域の画面の表示ポイント数（表示画素数）に制限して表示画面上に割り当てたグラフを生成する機能を有する。以下、（１）〜（８）に示す表示手法の処理内容について説明する。
【００８７】
（１）帯域平均
操作部５００の操作により、表示手法として「帯域平均」、処理方法として「平均処理」、関連するグラフ表示軸として「周波数軸」が設定されると、全測定チャネル（測定周波数）数Ｎmeasを表示ポイント（周波数軸）数Ｎdispで割った数Ｄ＝Ｎmeas／Ｎdisp分の測定チャネル（測定周波数）のＡＰＤ測定値を平均処理し、この平均処理によって得られるＡＰＤ平均値を表示部４００の指定された表示領域の画面の各表示ポイント上に割り当てたグラフを生成する。
【００８８】
なお、表示ポイントＣＨdisp［ｋ］における各閾値レベルＬ［ｉ］のＡＰＤ平均値ＡＰＤk ［ｉ］は下記式（１）によって算出される。
【００８９】
【数１】
2012112901.tif 000003
【００９０】
そして、例えば、全測定チャネル数：Ｎmeas＝４０９６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］：ＣＨdisp［１］〜ＣＨdisp［１０２４］、Ｄ＝４、閾値レベル数：１０２４が操作部５００の操作により予め入力されている場合には、下記表１に示すように、４チャネル（Ｄ＝４）分のデータを平均処理し、表示部４００の指定された表示領域の画面の表示１ポイント分のＡＰＤ平均値を算出する。なお、下記表１は、測定チャネルＣＨdisp［１］〜ＣＨdisp［４］の平均処理結果を示している。
【００９１】
【表１】
2012112901.tif 000004
【００９２】
次に、上述した平均処理によって得られるグラフを表示部４００の指定された表示領域の画面に表示する際の表示処理手法について、具体例を示して説明する。
【００９３】
上述したように、操作部５００の操作により「帯域平均」が表示手法として選択され、操作部５００により設定された平均測定チャネル数Ｄ分の測定チャネル（測定周波数）のＡＰＤ測定値を平均処理し、この平均処理によって得られるＡＰＤ平均値を表示部４００の指定された表示領域の画面の各表示ポイント上に割り当てたグラフを生成して表示する。すなわち、表示ポイントｎdisp＝Ｄ×（Ｎdisp／Ｎmeas）を使って、１データ（Ｄチャネル分のＡＰＤ平均値）を表示部４００に表示する。そして、この「帯域平均」では、以下に説明するように、ＮmeasとＮdispとの関係に応じて処理内容が異なる。
【００９４】
Ｎmeas＞Ｎdispの場合
図１５はＡＰＤスペクトラム表示（横軸：周波数、縦軸：レベル、パラメータ：ＡＰＤ）として、全測定チャネル数：Ｎmeas＝４０９６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］＝ＣＨdisp［１］〜ＣＨdisp［１０２４］、平均測定チャネル数：Ｄ＝４（Ｄ≧Ｎmeas＞Ｎdisp）を条件とした場合の表示処理例を示している。この場合、表示部４００の表示ポイント：１ポイント上に、１データ（４ｃｈ分の平均値）を表示する。図１５の例では、表示部４００の表示ポイントＣＨdisp［１］上に、測定チャネルＣＨmeas［１］〜ＣＨmeas［４］の４ｃｈ分の平均値の１データを表示する。同様に、表示部４００の表示ポイントＣＨdisp［２］上に、次の測定チャネルＣＨmeas［５］〜ＣＨmeas［８］の４ｃｈ分の平均値の１データを表示する。
【００９５】
Ｎmeas≦Ｎdispの場合
図１６はＡＰＤスペクトラム表示（横軸：周波数、縦軸：レベル、パラメータ：ＡＰＤ）として、全測定チャネル数：Ｎmeas＝２５６、測定チャネルＣＨmeas［ｎ］：ＣＨmeas［１］〜ＣＨmeas［２５６］、表示ポイント数：Ｎdisp＝１０２４、表示ポイントＣＨdisp［ｋ］＝ＣＨdisp［１］〜ＣＨdisp［１０２４］、平均測定チャネル数：Ｄ＝４を条件とした場合の表示処理例を示している。この場合、表示部４００の表示ポイント：１６ポイント上に、１データ（４ｃｈ分の平均値）を表示する。図１５の例では、表示部４００の表示ポイントＣＨdisp［１］〜ＣＨdisp［１６］上に、測定チャネルＣＨmeas［１］〜ＣＨmeas［４］の４ｃｈ分の平均値の１データを表示する。同様に、表示部４００の表示ポイントＣＨdisp［１７］〜ＣＨdisp［３２］上に、次の測定チャネルＣＨmeas［５］〜ＣＨmeas［８］の４ｃｈ分の平均値の１データを表示する。
【００９６】
なお、図１５および図１６の例では、パラメータであるＡＰＤの範囲を、０＜ＡＰＤ≦１％、１％＜ＡＰＤ≦１０％、１０％＜ＡＰＤ≦５０％、５０％＜ＡＰＤとしている。
【００９７】
また、上述した説明では、全測定チャネル数を表示領域の画面の表示ポイント数で割った数が整数になる、又は表示領域の画面の表示ポイント数を全測定チャネル数で割った数が整数になることを条件としているが、この条件を満たさずに余りが生じた場合は、その余りの数が無くなるようにＡＰＤ測定結果を平均処理し、全測定チャネル数のＡＰＤ測定結果を表示領域の画面の表示ポイント数に合せてＡＰＤ測定結果をグラフ上に表示する。
【００９８】
さらに、周波数軸方向にＡＰＤ測定結果を平均処理して、指定された表示領域の画面の各表示ポイント上のＡＰＤデータを算出してグラフ上に表示する例について説明したが、時間軸方向にＡＰＤ測定結果を平均処理して、指定された表示領域の画面の各表示ポイント上にＡＰＤデータを算出してグラフ上に表示することもできる。
【００９９】
（２）固定ポイント選択
（周波数軸データ）
操作部５００の操作により、表示手法として「固定ポイント選択」、処理方法として「間引き処理」、関連するグラフ表示軸として「周波数軸」が設定されると、全測定チャネル（測定周波数）数Ｎmeasを表示ポイント（周波数軸）数Ｎdispで割った数Ｄ＝Ｎmeas／Ｎdispごとの測定チャネル（測定周波数）のＡＰＤ測定結果を選択し、この選択したＡＰＤ測定結果を表示部４００の指定された表示領域の画面の各表示ポイント上に表示する。すなわち、固定ポイントＤ間隔の測定チャネルの測定結果ＣＨmeas［ｎ］を表示部４００の各表示ポイントＣＨdisp［ｋ］に表示する。ＣＨdisp［ｋ］＝ＣＨmeas［（ｋ−１）Ｄ＋１］
【０１００】
そして、例えば、全測定チャネル数：Ｎmeas＝４０９６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］：ＣＨdisp［１］〜ＣＨdisp［１０２４］、Ｄ＝４が操作部５００の操作により予め入力されている場合には、下記表２に示すように、４チャネル（Ｄ＝４）ごとのデータを、表示部４００の指定された表示領域の画面の各表示ポイント上に表示する。
【０１０１】
【表２】
2012112901.tif 000005
【０１０２】
（時間軸データ）
操作部５００の操作により、表示手法として「固定ポイント選択」、処理方法として「間引き処理」、関連するグラフ表示軸として「時間軸」が設定されると、各測定チャネル（測定周波数）において、全測定時間Ｔmeasを表示ポイント（時間軸）数Ｔdispで割った数Ｄ＝Ｔmeas／Ｔdispごとの測定時間のＡＰＤ測定結果を選択し、この選択したＡＰＤ測定結果を表示部４００の指定された表示領域の画面の各表示ポイント上に表示する。すなわち、各測定チャネルにおける固定ポイントＤ間隔の測定時間の測定結果ＡＰＤ＿Ｔmeas［ｔ］を表示部４００の指定された表示領域の画面の各表示ポイントＡＰＤ＿Ｔdisp［ｋ］に表示する。ＡＰＤ＿Ｔdisp［ｋ］＝ＡＰＤ＿Ｔmeas［（ｋ−１）Ｄ＋１］
【０１０３】
そして、例えば、各測定チャネルにおける全測定時間（測定周期：１秒）：Ｔmeas＝４０９６、各測定時間（測定周期：１秒）における測定結果ＡＰＤ＿Ｔmeas［ｔ］：ＡＰＤ＿Ｔmeas［１］〜ＡＰＤ＿Ｔmeas［４０９６］、表示ポイント数：Ｔdisp＝１０２４、表示ポイントＡＰＤ＿Ｔdisp［ｋ］：ＡＰＤ＿Ｔdisp［１］〜ＡＰＤ＿Ｔdisp［１０２４］、Ｄ＝４が操作部５００の操作により予め入力されている場合には、下記表３に示すように、測定時間４秒（Ｄ＝４）ごとのデータを、表示部４００の指定された表示領域の画面の各表示ポイント上に表示する。
【０１０４】
【表３】
2012112901.tif 000006
【０１０５】
（３）指定ＡＰＤ値ポイント選択
（周波数軸データ）
操作部５００の操作により、表示手法として「指定ＡＰＤ値ポイント選択」、処理方法として「間引き処理（最大値または最小値）」、関連するグラフ表示軸として「周波数軸」が設定されると、全測定チャネル（測定周波数）数Ｎmeasを表示ポイント（周波数軸）数Ｎdispで割った数Ｄ＝Ｎmeas／Ｎdisp分の測定チャネル（測定周波数）のＡＰＤ測定結果の中から、指定したＡＰＤ値となる閾値レベルが「最大」又は「最小」となる測定チャネルのＡＰＤ測定結果を選択し、この選択したＡＰＤ測定結果を表示部４００の指定された表示領域の画面の各表示ポイント上に表示する。
【０１０６】
そして、例えば、全測定チャネル数：Ｎmeas＝４０９６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］：ＣＨdisp［１］〜ＣＨdisp［１０２４］、Ｄ＝４、指定ＡＰＤ値：ＡＰＤ＞０．０１が操作部５００の操作により予め入力されている場合には、下記表４に示すように、４チャネル（Ｄ＝４）の中から、指定したＡＰＤ値となる閾値レベルが最大となる測定チャネルのＡＰＤ測定データを選択し、この選択したＡＰＤ測定データを表示部４００の指定された表示領域の画面の各表示ポイント上に表示する。
【０１０７】
【表４】
2012112901.tif 000007
【０１０８】
（時間軸データ）
操作部５００の操作により、表示手法として「指定ＡＰＤ値ポイント選択」、処理方法として「間引き処理（最大値または最小値）」、関連するグラフ表示軸として「時間軸」が設定されると、各測定チャネル（測定周波数）において、全測定時間Ｔmeasを表示ポイント（時間軸）数Ｔdispで割った数Ｄ＝Ｔmeas／Ｔdisp分の測定時間のＡＰＤ測定結果の中から、指定したＡＰＤ値となる閾値レベルが「最大」又は「最小」となる測定時間のＡＰＤ測定結果を選択し、この選択したＡＰＤ測定結果を表示部４００の指定された表示領域の画面の各表示ポイント上に表示する。
【０１０９】
そして、例えば、各測定チャネルにおける全測定時間（測定周期：１秒）：Ｔmeas＝４０９６、各測定時間（測定周期：１秒）における測定結果ＡＰＤ＿Ｔmeas［ｔ］：ＡＰＤ＿Ｔmeas［１］〜ＡＰＤ＿Ｔmeas［４０９６］、表示ポイント数：Ｔdisp＝１０２４、表示ポイントＡＰＤ＿Ｔdisp［ｋ］：ＡＰＤ＿Ｔdisp［１］〜ＡＰＤ＿Ｔdisp［１０２４］、Ｄ＝４、指定ＡＰＤ値：ＡＰＤ＞０．０１が操作部５００の操作により予め入力されている場合には、下記表５に示すように、測定時間４秒（Ｄ＝４）分のデータの中から、指定したＡＰＤ値となる閾値レベルが最大となる測定時間のＡＰＤ測定データを選択し、この選択したＡＰＤ測定データを表示部４００の指定された表示領域の画面の各表示ポイント上に表示する。
【０１１０】
【表５】
2012112901.tif 000008
【０１１１】
（４）指定レベル値ポイント選択
（周波数軸データ）
操作部５００の操作により、表示手法として「指定レベル値ポイント選択」、処理方法として「間引き処理（最大値または最小値）」、関連するグラフ表示軸として「周波数軸」が設定されると、全測定チャネル（測定周波数）数Ｎmeasを表示ポイント（周波数軸）数Ｎdispで割った数Ｄ＝Ｎmeas／Ｎdisp分の測定チャネル（測定周波数）のＡＰＤ測定結果の中から、指定した閾値レベルにおけるＡＰＤ値が「最大」又は「最小」となる測定チャネルのＡＰＤ測定結果を選択し、この選択したＡＰＤ測定結果を表示部４００の指定された表示領域の画面の各表示ポイント上に表示する。
【０１１２】
そして、例えば、全測定チャネル数：Ｎmeas＝４０９６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］：ＣＨdisp［１］〜ＣＨdisp［１０２４］、Ｄ＝４、指定閾値レベル：ー４０ｄＢｍが操作部５００の操作により予め入力されている場合には、下記表６に示すように、４チャネル（Ｄ＝４）の中から、指定した閾値レベルにおけるＡＰＤ値が最大となる測定チャネルのＡＰＤ測定データを選択し、この選択したＡＰＤ測定データを表示部４００の指定された表示領域の画面の各表示ポイント上に表示する。
【０１１３】
【表６】
2012112901.tif 000009
【０１１４】
（時間軸データ）
操作部５００の操作により、表示手法として「指定レベル値ポイント選択」、処理方法として「間引き処理（最大値または最小値）」、関連するグラフ表示軸として「時間軸」が設定されると、各測定チャネル（測定周波数）において、全測定時間Ｔmeasを表示ポイント（時間軸）数Ｔdispで割った数Ｄ＝Ｔmeas／Ｔdisp分の測定時間のＡＰＤ測定結果の中から、指定した閾値レベルにおけるＡＰＤ値が「最大」又は「最小」となる測定時間のＡＰＤ測定結果を選択し、この選択したＡＰＤ測定結果を表示部４００の指定された表示領域の画面の各表示ポイント上に表示する。
【０１１５】
そして、例えば、各測定チャネルにおける全測定時間（測定周期：１秒）：Ｔmeas＝４０９６、各測定時間（測定周期：１秒）における測定結果ＡＰＤ＿Ｔmeas［ｔ］：ＡＰＤ＿Ｔmeas［１］〜ＡＰＤ＿Ｔmeas［４０９６］、表示ポイント数：Ｔdisp＝１０２４、表示ポイントＡＰＤ＿Ｔdisp［ｋ］：ＡＰＤ＿Ｔdisp［１］〜ＡＰＤ＿Ｔdisp［１０２４］、Ｄ＝４、指定閾値レベル：ー４０ｄＢｍが操作部５００の操作により予め入力されている場合には、下記表７に示すように、測定時間４秒（Ｄ＝４）分のデータの中から、指定した閾値レベルにおけるＡＰＤ値が最大となる測定時間のＡＰＤ測定データを選択し、この選択したＡＰＤ測定データを表示部４００の指定された表示領域の画面の各表示ポイント上に表示する。
【０１１６】
【表７】
2012112901.tif 000010
【０１１７】
（５）ピーク値ポイント選択
（周波数軸データ）
操作部５００の操作により、表示手法として「ピーク値ポイント選択」、処理方法として「間引き処理（最大値または最小値）」、関連するグラフ表示軸として「周波数軸」が設定されると、全測定チャネル（測定周波数）数Ｎmeasを表示ポイント（周波数軸）数Ｎdispで割った数Ｄ＝Ｎmeas／Ｎdisp分の測定チャネル（測定周波数）のＡＰＤ測定結果の中から、ピーク値レベルが「最大」又は「最小」となる測定チャネルのＡＰＤ測定結果を選択し、この選択したＡＰＤ測定結果を表示部４００の指定された表示領域の画面の各表示ポイント上に表示する。
【０１１８】
そして、例えば、全測定チャネル数：Ｎmeas＝４０９６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］：ＣＨdisp［１］〜ＣＨdisp［１０２４］、Ｄ＝４が操作部５００の操作により予め入力されている場合には、下記表８に示すように、４チャネル（Ｄ＝４）の中から、ピーク値レベルが最大となる測定チャネルのＡＰＤ測定データを選択し、この選択したＡＰＤ測定データを表示部４００の指定された表示領域の画面の各表示ポイント上に表示する。
【０１１９】
【表８】
2012112901.tif 000011
【０１２０】
（時間軸データ）
操作部５００の操作により、表示手法として「ピーク値ポイント選択」、処理方法として「間引き処理（最大値または最小値）」、関連するグラフ表示軸として「時間軸」が設定されると、各測定チャネル（測定周波数）において、全測定時間Ｔmeasを表示ポイント（時間軸）数Ｔdispで割った数Ｄ＝Ｔmeas／Ｔdisp分の測定時間のＡＰＤ測定結果の中から、ピーク値レベルが「最大」又は「最小」となる測定時間のＡＰＤ測定結果を選択し、この選択したＡＰＤ測定結果を表示部４００の指定された表示領域の画面の各表示ポイント上に表示する。
【０１２１】
そして、例えば、各測定チャネルにおける全測定時間（測定周期：１秒）：Ｔmeas＝４０９６、各測定時間（測定周期：１秒）における測定結果ＡＰＤ＿Ｔmeas［ｔ］：ＡＰＤ＿Ｔmeas［１］〜ＡＰＤ＿Ｔmeas［４０９６］、表示ポイント数：Ｔdisp＝１０２４、表示ポイントＡＰＤ＿Ｔdisp［ｋ］：ＡＰＤ＿Ｔdisp［１］〜ＡＰＤ＿Ｔdisp［１０２４］、Ｄ＝４が操作部５００の操作により予め入力されている場合には、下記表９に示すように、測定時間４秒（Ｄ＝４）分のデータの中から、ピーク値レベルが最大となる測定時間のＡＰＤ測定データを選択し、この選択したＡＰＤ測定データを表示部４００の指定された表示領域の画面の各表示ポイント上に表示する。
【０１２２】
【表９】
2012112901.tif 000012
【０１２３】
（６）瞬時電力平均値ポイント選択
（周波数軸データ）
操作部５００の操作により、表示手法として「瞬時電力平均値ポイント選択」、処理方法として「間引き処理（最大値または最小値）」、関連するグラフ表示軸として「周波数軸」が設定されると、全測定チャネル（測定周波数）数Ｎmeasを表示ポイント（周波数軸）数Ｎdispで割った数Ｄ＝Ｎmeas／Ｎdisp分の測定チャネル（測定周波数）のＡＰＤ測定結果の中から、ＡＰＤ測定値から算出した瞬時電力平均値が「最大」又は「最小」となる測定チャネルのＡＰＤ測定結果を選択し、この選択したＡＰＤ測定結果を表示部４００の指定された表示領域の画面の各表示ポイント上に表示する。
【０１２４】
なお、各測定チャネルの瞬時電力平均値は、閾値レベルｘi ［ｍＷ］と、各閾値レベル（レベル数Ｘ）のＡＰＤ値ＡＰＤ（ｘi ）から下記式（２）により算出する。
【０１２５】
【数２】
2012112901.tif 000013
【０１２６】
そして、例えば、全測定チャネル数：Ｎmeas＝４０９６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］：ＣＨdisp［１］〜ＣＨdisp［１０２４］、Ｄ＝４、閾値レベル数：Ｘ＝１０２４が操作部５００の操作により予め入力されている場合には、下記表１０に示すように、４チャネル（Ｄ＝４）の中から、瞬時電力平均値が最大となる測定チャネルのＡＰＤ測定データを選択し、この選択したＡＰＤ測定データを表示部４００の指定された表示領域の画面の各表示ポイント上に表示する。
【０１２７】
【表１０】
2012112901.tif 000014
【０１２８】
（時間軸データ）
操作部５００の操作により、表示手法として「瞬時電力平均値ポイント選択」、処理方法として「間引き処理（最大値または最小値）」、関連するグラフ表示軸として「時間軸」が設定されると、各測定チャネル（測定周波数）において、全測定時間Ｔmeasを表示ポイント（時間軸）数Ｔdispで割った数Ｄ＝Ｔmeas／Ｔdisp分の測定時間のＡＰＤ測定結果の中から、ＡＰＤ測定値から算出した瞬時電力平均値が「最大」又は「最小」となる測定時間のＡＰＤ測定結果を選択し、この選択したＡＰＤ測定結果を表示部４００の指定された表示領域の画面の各表示ポイント上に表示する。
【０１２９】
そして、例えば、各測定チャネルにおける全測定時間（測定周期：１秒）：Ｔmeas＝４０９６、各測定時間（測定周期：１秒）における測定結果ＡＰＤ＿Ｔmeas［ｔ］：ＡＰＤ＿Ｔmeas［１］〜ＡＰＤ＿Ｔmeas［４０９６］、表示ポイント数：Ｔdisp＝１０２４、表示ポイントＡＰＤ＿Ｔdisp［ｋ］：ＡＰＤ＿Ｔdisp［１］〜ＡＰＤ＿Ｔdisp［１０２４］、Ｄ＝４、閾値レベル数：Ｘ＝１０２４が操作部５００の操作により予め入力されている場合には、下記表１１に示すように、測定時間４秒（Ｄ＝４）分のデータの中から、瞬時電圧平均値が最大となる測定時間のＡＰＤ測定データを選択し、この選択したＡＰＤ測定データを表示部４００の指定された表示領域の画面の各表示ポイント上に表示する。
【０１３０】
【表１１】
2012112901.tif 000015
【０１３１】
（７）瞬時電圧平均値ポイント選択
（周波数軸データ）
操作部５００の操作により、表示手法として「瞬時電圧平均値ポイント選択」、処理方法として「間引き処理（最大値または最小値）」、関連するグラフ表示軸として「周波数軸」が設定されると、全測定チャネル（測定周波数）数Ｎmeasを表示ポイント（周波数軸）数Ｎdispで割った数Ｄ＝Ｎmeas／Ｎdisp分の測定チャネル（測定周波数）のＡＰＤ測定結果の中から、ＡＰＤ測定値から算出した瞬時電圧平均値が「最大」又は「最小」となる測定チャネルのＡＰＤ測定結果を選択し、この選択したＡＰＤ測定結果を表示部４００の指定された表示領域の画面の各表示ポイント上に表示する。
【０１３２】
なお、各測定チャネルの瞬時電圧平均値は、閾値レベルｘi ［μＶ］と、各閾値レベル（レベル数Ｘ）のＡＰＤ値ＡＰＤ（ｘi ）から下記式（３）により算出する。
【０１３３】
【数３】
2012112901.tif 000016
【０１３４】
そして、例えば、全測定チャネル数：Ｎmeas＝４０９６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］：ＣＨdisp［１］〜ＣＨdisp［１０２４］、Ｄ＝４、閾値レベル数：Ｘ＝１０２４が操作部５００の操作により予め入力されている場合には、下記表１２に示すように、４チャネル（Ｄ＝４）の中から、瞬時電圧平均値が最大となる測定チャネルのＡＰＤ測定データを選択し、この選択したＡＰＤ測定データを表示部４００の指定された表示領域の画面の各表示ポイント上に表示する。
【０１３５】
【表１２】
2012112901.tif 000017
【０１３６】
（時間軸データ）
操作部５００の操作により、表示手法として「瞬時電圧平均値ポイント選択」、処理方法として「間引き処理（最大値または最小値）」、関連するグラフ表示軸として「時間軸」が設定されると、各測定チャネル（測定周波数）において、全測定時間Ｔmeasを表示ポイント（時間軸）数Ｔdispで割った数Ｄ＝Ｔmeas／Ｔdisp分の測定時間のＡＰＤ測定結果の中から、ＡＰＤ測定値から算出した瞬時電圧平均値が「最大」又は「最小」となる測定時間のＡＰＤ測定結果を選択し、この選択したＡＰＤ測定結果を表示部４００の指定された表示領域の画面の各表示ポイント上に表示する。
【０１３７】
そして、例えば、各測定チャネルにおける全測定時間（測定周期：１秒）：Ｔmeas＝４０９６、各測定時間（測定周期：１秒）における測定結果ＡＰＤ＿Ｔmeas［ｔ］：ＡＰＤ＿Ｔmeas［１］〜ＡＰＤ＿Ｔmeas［４０９６］、表示ポイント数：Ｔdisp＝１０２４、表示ポイントＡＰＤ＿Ｔdisp［ｋ］：ＡＰＤ＿Ｔdisp［１］〜ＡＰＤ＿Ｔdisp［１０２４］、Ｄ＝４、閾値レベル数：Ｘ＝１０２４が操作部５００の操作により予め入力されている場合には、下記表１３に示すように、測定時間４秒（Ｄ＝４）分のデータの中から、瞬時電圧平均値が最大となる測定時間のＡＰＤ測定データを選択し、この選択したＡＰＤ測定データを表示部４００の指定された表示領域の画面の各表示ポイント上に表示する。
【０１３８】
【表１３】
2012112901.tif 000018
【０１３９】
（８）ピーク対平均電力比（ＰＡＰＲ）ポイント選択
（周波数軸データ）
操作部５００の操作により、表示手法として「ピーク対平均電力比ポイント選択」、処理方法として「間引き処理（最大値または最小値）」、関連するグラフ表示軸として「周波数軸」が設定されると、全測定チャネル（測定周波数）数Ｎmeasを表示ポイント（周波数軸）数Ｎdispで割った数Ｄ＝Ｎmeas／Ｎdisp分の測定チャネル（測定周波数）のＡＰＤ測定結果の中から、ＡＰＤ測定値から算出したピーク対平均電力比（ＰＡＰＲ）が「最大」又は「最小」となる測定チャネルのＡＰＤ測定結果を選択し、この選択したＡＰＤ測定結果を表示部４００の指定された表示領域の画面の各表示ポイント上に表示する。
【０１４０】
なお、各測定チャネルのピーク対平均電力比（ＰＡＰＲ）は、ＰＡＰＲ［ｄＢ］＝ピーク電力［ｄＢｍ］ー瞬時電力平均値［ｄＢｍ］により算出する。
【０１４１】
そして、例えば、全測定チャネル数：Ｎmeas＝４０９６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］：ＣＨdisp［１］〜ＣＨdisp［１０２４］、Ｄ＝４が操作部５００の操作により予め入力されている場合には、下記表１４に示すように、４チャネル（Ｄ＝４）の中から、ピーク対平均電力比（ＰＡＰＲ）が最大となる測定チャネルのＡＰＤ測定データを選択し、この選択したＡＰＤ測定データを表示部４００の指定された表示領域の画面の各表示ポイント上に表示する。
【０１４２】
【表１４】
2012112901.tif 000019
【０１４３】
（時間軸データ）
操作部５００の操作により、表示手法として「ピーク対平均電力比ポイント選択」、処理方法として「間引き処理（最大値または最小値）」、関連するグラフ表示軸として「時間軸」が設定されると、各測定チャネル（測定周波数）において、全測定時間Ｔmeasを表示ポイント（時間軸）数Ｔdispで割った数Ｄ＝Ｔmeas／Ｔdisp分の測定時間のＡＰＤ測定結果の中から、ＡＰＤ測定値から算出したピーク対平均電力比（ＰＡＰＲ）が「最大」又は「最小」となる測定時間のＡＰＤ測定結果を選択し、この選択したＡＰＤ測定結果を表示部４００の指定された表示領域の画面の各表示ポイント上に表示する。
【０１４４】
そして、例えば、各測定チャネルにおける全測定時間（測定周期：１秒）：Ｔmeas＝４０９６、各測定時間（測定周期：１秒）における測定結果ＡＰＤ＿Ｔmeas［ｔ］：ＡＰＤ＿Ｔmeas［１］〜ＡＰＤ＿Ｔmeas［４０９６］、表示ポイント数：Ｔdisp＝１０２４、表示ポイントＡＰＤ＿Ｔdisp［ｋ］：ＡＰＤ＿Ｔdisp［１］〜ＡＰＤ＿Ｔdisp［１０２４］、Ｄ＝４が操作部５００の操作により予め入力されている場合には、下記表１５に示すように、測定時間４秒（Ｄ＝４）分のデータの中から、ピーク対平均電力比（ＰＡＰＲ）が最大となる測定時間のＡＰＤ測定データを選択し、この選択したＡＰＤ測定データを表示部４００の指定された表示領域の画面の各表示ポイント上に表示する。
【０１４５】
【表１５】
2012112901.tif 000020
【０１４６】
ここで、上述した（２）〜（８）のいずれかの表示手法が選択設定されたときの間引き処理方法について、具体例を示して更に詳細に説明する。
【０１４７】
操作部５００の操作により（２）〜（８）のいずれかの表示手法が選択設定されると、操作部５００で設定された間引き数Ｄ分のＡＰＤ測定結果の中から、選択設定された表示手法に従って選択されたＡＰＤ測定結果を、表示部４００の指定された表示領域の画面の各表示ポイント上に表示する。
【０１４８】
具体的に、図１７はＡＰＤスペクトラム表示（横軸：周波数、縦軸：レベル、パラメータ：ＡＰＤ）として、表示手法：指定ＡＰＤ値ポイント選択、全測定チャネル数：Ｎmeas＝２５６、測定チャネルＣＨmeas［ｎ］：ＣＨmeas［１］〜ＣＨmeas［４０９６］、表示ポイント数：Ｎdisp＝１０２４、表示ポイントＣＨdisp［ｋ］＝ＣＨdisp［１］〜ＣＨdisp［１０２４］、間引き数：Ｄ＝４、指定ＡＰＤ値：ＡＰＤ＞１％を条件とした場合の表示例を示している。この場合、４チャネル（Ｄ＝４）の中から、指定したＡＰＤ値となる閾値レベルが最大となる測定チャネルのＡＰＤ測定データを選択し、この選択したＡＰＤ測定データを表示部４００の指定された表示領域の画面の各表示ポイント上に表示する。図１７の例では、４つのチャネルＣＨmeas［１］〜ＣＨmeas［４］の中から、指定ＡＰＤ値：ＡＰＤ＞１％となる閾値レベルが最大となる測定チャネルのＡＰＤ測定データＣＨmeas［３］が表示ポイントＣＨdisp［１］に表示される。同様に、次の４つのチャネルＣＨmeas［５］〜ＣＨmeas［８］の中から、指定ＡＰＤ値：ＡＰＤ＞１％となる閾値レベルが最大となる測定チャネルのＡＰＤ測定データＣＨmeas［６］が表示ポイントＣＨdisp［２］に表示される。
【０１４９】
また、図１８はＡＰＤチャート表示（横軸：時間、縦軸：レベル、パラメータ：ＡＰＤ）として、表示手法：指定ＡＰＤ値ポイント選択、各測定チャネルにおける全測定時間（測定周期：１秒）：Ｔmeas＝４０９６、各測定時間（測定周期：１秒）における測定結果ＡＰＤ＿Ｔmeas：ＡＰＤ＿Ｔmeas［１］〜ＡＰＤ＿Ｔmeas［４０９６］、表示ポイント数：Ｔdisp＝１０２４、表示ポイントＡＰＤ＿Ｔdisp［ｋ］＝ＡＰＤ＿Ｔdisp［１］〜ＡＰＤ＿Ｔdisp［１０２４］、間引き数：Ｄ＝４、指定ＡＰＤ値：ＡＰＤ＞１％を条件とした場合の表示例を示している。この場合、測定時間４秒（Ｄ＝４）の中から、指定したＡＰＤ値となる閾値レベルが最大となる測定時間のＡＰＤ測定データを選択し、この選択したＡＰＤ測定データを表示部４００の指定された表示領域の画面の各表示ポイント上に表示する。図１８の例では、測定時間４秒（Ｄ＝４）分のデータＡＰＤ＿Ｔmeas［１］〜ＡＰＤ＿Ｔmeas［４］の中から、指定ＡＰＤ値：ＡＰＤ＞１％となる閾値レベルが最大となる測定時間のＡＰＤ測定データＡＰＤ＿Ｔmeas［３］が表示ポイントＡＰＤ＿Ｔdisp［１］に表示される。同様に、次の測定時間４秒（Ｄ＝４）分のデータＡＰＤ＿Ｔmeas［５］〜ＡＰＤ＿Ｔmeas［８］の中から、指定ＡＰＤ値：ＡＰＤ＞１％となる閾値レベルが最大となる測定時間のＡＰＤ測定データＡＰＤ＿Ｔmeas［６］が表示ポイントＡＰＤ＿Ｔdisp［２］に表示される。
【０１５０】
上述したＡＰＤ測定結果の表示処理機能によれば、全測定結果データの中から、注目したい条件項目（例えば平均値、任意のＡＰＤ値、ピークレベル値など）を用いて、全測定結果データを表示画面上の指定された表示領域の画面の表示ポイント数に制限して表示させることができる。
【０１５１】
また、取得した全測定結果データは、記憶部２００に保持されているので、グラフ表示上では制限して表示しているが、指定マーカ生成部３２０にて表示される指定マーカが指示する箇所のＡＰＤ測定結果を表示部４００に数値表示するので、指定マーカが指示する箇所の全てのＡＰＤ測定結果は目視で確認することができる。
【０１５２】
さらに、本例のＡＰＤ測定表示装置１は、操作部５００からのグラフ表示に関する設定内容や指示、グラフ生成部３１０、拡大／縮小制御部３１０ａ、フルスパン制御部３１０ｂ、数値制御部３１０ｃからの情報に基づき、表示部４００の同一画面上に複数のグラフを表示制御するマルチ画面表示制御機能を有している。
【０１５３】
上記グラフ表示に関する設定内容としては、グラフの種類（スペクトラム表示のグラフ、スペクトログラム表示のグラフ、チャート表示のグラフ、函数尺表示のグラフ、３Ｄ表示のグラフ）、表示フォーマット（横軸、縦軸、色帯、カラーマップ）、函数尺表示（対数尺、函数尺）、拡大縮小表示（デフォルト、フルスパン、ズーム）、表示手法（帯域平均、固定ポイント選択、指定ＡＰＤ値ポイント選択、指定レベル値ポイント選択、ピーク値ポイント選択、瞬時電力平均値ポイント選択、瞬時電圧平均値ポイント選択、ピーク対平均電力比ポイント選択）、処理方法（平均処理、間引き処理）、関連するグラフ表示軸（周波数軸、時間軸）などがある。そして、表示させたいグラフ表示に必要な設定内容や指示が操作部５００から適宜なされる。また、このマルチ画面表示機能では、操作部５００により、表示部４００の同一画面上に表示するグラフの数に応じて表示領域の画面を分割設定し、この分割設定された表示領域の画面へのグラフ表示の指定を行う。
【０１５４】
このマルチ画面表示機能によれば、表示部４００の同一画面上にマルチ画面表示させたいグラフの数に応じて操作部５００から表示部４００の表示領域の画面を分割設定し、基本となる複数種類のグラフ表示（スペクトラム表示のグラフ、スペクトログラム表示のグラフ、チャート表示のグラフ、函数尺表示のグラフ、３Ｄ表示のグラフ）の中からマルチ画面表示するグラフの種類を選択して表示領域の画面を指定すれば、指定された表示領域の画面に選択されたグラフ表示がなされ、複数のグラフが表示部４００の同一画面上にマルチ画面表示される。そして、同一画面上の各グラフ表示は、その表示フォーマット、函数尺表示、拡大縮小表示、表示手法、処理方法、関連するグラフ表示軸を独立に操作部５００から設定できる。これにより、周波数、振幅、振幅確率及び時間のパラメータを組み合わせた複数のグラフを表示部４００の同一画面上にマルチ画面表示することができ、多チャネルＡＰＤ測定結果を詳細に、かつ有効的に分析評価することができる。
【０１５５】
また、本例のＡＰＤ測定表示装置１は、ＡＰＤ測定部１００により現在測定しているＡＰＤ測定結果と、その比較対象であって、過去に取得した測定結果やシミュレーション結果などのＡＰＤ結果とを、操作部５００による設定内容で指定されるグラフ表示形式で表示部４００に表示制御する比較表示制御部３９０を有する。
【０１５６】
図１９及び図２０は、現在と過去の測定結果として、比較表示制御部３９０の表示制御による表示部４００のＥＭＣ対策前後画面の一例を示している。
【０１５７】
図１９は、ＥＭＣ対策前後のグラフ表示を表示部４００の同一画面上の異なる表示領域に並べて表示した例である。さらに説明すると、図１９の例では、表示部４００の同一画面に対し、ＥＭＣ対策前の比較対象となるＡＰＤ結果のグラフ表示が上部の表示領域４００ａになされ、その下部の表示領域４００ｂにＡＰＤ測定部１００により現在測定中のＥＭＣ対策後のＡＰＤ測定結果のグラフ表示がなされている。これらのグラフ表示が表示される表示領域や形式は、操作部５００から設定操作される設定内容によって決定される。また、現在測定中のＥＭＣ対策後のＡＰＤ測定結果のグラフ表示の下部の表示領域４００ｃには、前述したマーカ機能により、指定したマーカの位置における結果が表示される。これにより、現在測定中のＥＭＣ対策後のＡＰＤ測定結果と、比較対象のＥＭＣ対策前のＡＰＤ結果との値をリアルタイムに比較して分析評価することができる。
【０１５８】
図２０は、ＥＭＣ対策前後のグラフ表示を表示部４００の同一画面上の一つの表示領域に重ね書きして表示した例である。さらに説明すると、図２０の例では、表示部４００の同一画面に対し、ＡＰＤ測定部１００により現在測定中のＥＭＣ対策後のＡＰＤ測定結果のグラフ表示と、その比較対象となるＥＭＣ対策前のＡＰＤ結果のグラフ表示とを、一つの表示領域４００ｄ内の同じグラフ表示上に重ね書きしている。図２０に示すような一つの表示領域４００ｄ内でのグラフ表示の重ね書きは、グラフ表示として、ＡＰＤ  Ｃｕｒｖｅ表示やＰＤＦ  Ｃｕｒｖｅ表示に有効である。また、現在測定中のＥＭＣ対策後のＡＰＤ測定結果と比較対象となるＥＭＣ対策前のＡＰＤ結果の両方からそれぞれ算出したピーク値（Ｐｅａｋ）、平均値（Ｌｉｎｅａｒ  Ａｖｇ．、Ｐｏｗｅｒ  Ａｖｇ．）ＰＡＰＲ値は、図２０に示すように、ＥＭＣ対策前後のグラフ表示とともに同一画面上の表示領域４００ｅに表示できる。さらに、前述したマーカ機能により、現在測定中のＥＭＣ対策後のＡＰＤ測定結果と、比較対象となるＥＭＣ対策前のＡＰＤ結果との値も同時に表示できる。
【０１５９】
指定した周波数（１点または複数点）における現在測定中のＥＭＣ対策後の結果（Ｃｕｒｒｅｎｔ）と比較対象となるＥＭＣ対策前の結果（Ｒｅｆｅｒｅｎｃｅ）の波形は、線の色、種類（例えば実線や破線など）、線の太さの違いを操作部５００から指定することにより、識別表示することができる。
【０１６０】
このように、比較表示制御部３９０の表示制御によるＥＭＣ対策前後画面表示機能では、現在測定中のＥＭＣ対策後のＡＰＤ測定結果と、その比較対象であって、過去に取得した測定結果やシミュレーション結果などのＥＭＣ対策前のＡＰＤ結果とを、表示部４００の同一画面に対し、表示領域を分けて識別表示したり、同一表示領域内に重ねて識別表示している。これにより、電子機器などのＥＭＣ測定評価において、現在測定中のＥＭＣ対策後のＡＰＤ測定結果と、その比較対象となるＥＭＣ対策前のＡＰＤ結果とを、表示部４００の同一画面上に表示して比較分析しながら測定が行え、ＥＭＣ対策の効果を容易に評価することができる。
【０１６１】
そして、本例のＡＰＤ測定表示装置１は、被測定信号の周波数成分を分析し、分析された各周波数成分の振幅をそれぞれ検出し、検出された各周波数成分の振幅について単位時間当たりの振幅確率を時間経過毎に求め、この各周波数成分の振幅の振幅確率を時間経過に対応して全てのデータを記憶部２００に記憶している。すなわち、Ａ／Ｄ変換手段１１０ｂからデータを取り込み、この取り込んだデータを短時間フーリエ変換によるリアルタイム処理したＡＰＤ測定の時間軸と周波数軸の同時測定技術を適用している。これにより、上述したマルチ画面表示機能を用いる際に、正確な周波数と時間特性情報を同時に取得でき、従来のような単なる表示の組み合わせ表示でなく、上述したマルチ画面表示機能により時間、周波数の同時表示が行え、表示の切り替えを行うことなく効果的な表示を実現することができる。
【符号の説明】
【０１６２】
１  ＡＰＤ測定表示装置
１００  ＡＰＤ測定部
１１０  周波数分析部
１１０ａ  帯域選択手段
１１０ｂ  Ａ／Ｄ変換手段
１１０ｃ  周波数選択手段
１２０  レベル検出部
１３０  ＡＰＤ部
１３０ａ  クロック発生部
１３０ｂ  範囲分類手段
２００  記憶部
３００  表示制御部
３１０  グラフ生成部
３１０ａ  拡大／縮小制御部
３１０ｂ  フルスパン制御部
３１０ｃ  数値制御部
３２０  指定マーカ生成部
３３０  画面制御部
３４０  ピークサーチ部
３５０  ピークマーカ生成部
３６０  ゾーンマーカ生成部
３７０  表示フォーマット記憶部
３８０  座標情報記憶部
３９０  比較表示制御部
４００  表示部
５００  操作部
６００  制御部
【図１】
2012112901.tif 000021
【図２】
2012112901.tif 000022
【図３】
2012112901.tif 000023
【図４】
2012112901.tif 000024
【図５】
2012112901.tif 000025
【図６】
2012112901.tif 000026
【図７】
2012112901.tif 000027
【図８】
2012112901.tif 000028
【図９】
2012112901.tif 000029
【図１０】
2012112901.tif 000030
【図１１】
2012112901.tif 000031
【図１２】
2012112901.tif 000032
【図１３】
2012112901.tif 000033
【図１４】
2012112901.tif 000034
【図１５】
2012112901.tif 000035
【図１６】
2012112901.tif 000036
【図１７】
2012112901.tif 000037
【図１８】
2012112901.tif 000038
【図１９】
2012112901.tif 000039
【図２０】
2012112901.tif 000040